(57)【特許請求の範囲】
【請求項１】
天板の後部に立設した支柱の前面に設けた、上下方向を向くとともに開口部を狭幅とした嵌合溝に、前後方向を向く机上用パネルの後部へ保持溝を嵌合した前向コ字形の後部支持枠の後側に設けた、後端部が広幅の係止部を嵌合し、かつ机上用パネルの下部へ嵌合した、上向きコ字形の下部支持枠より垂下した係止片を、天板に設けた前後方向の受溝に挿入して係止し、さらに、後部支持枠の後壁の前面に、その保持溝へ前方から嵌入された机上用パネルの後端が側方向に動くのを阻止するための、机上用パネルの後端を側方から挟支しうる挟支突片を設けたことを特徴とする机上用パネルの支持装置。
【請求項２】
天板の後部に立設した支柱の前面に設けた、上下方向を向くとともに開口部を狭幅とした嵌合溝に、前後方向を向く机上用パネルの後部へ保持溝を嵌合した前向コ字形の後部支持枠の後側に設けた、後端部が広幅の係止部を嵌合し、かつ机上用パネルの下部へ嵌合した、上向きコ字形の下部支持枠より垂下した係止片を、天板に設けた前後方向の受溝に挿入して係止し、さらに、後部支持枠における保持溝の幅方向の中心面と、その後側における係止部の中心面との距離を、支柱の外側面と、その嵌合溝の中心面との距離と等しくし、隣接する後面パネルの側端における同寸同形の２本の支柱の外側面同士を当接させるとともに、いずれかの支柱の前面における嵌合溝に、机上用パネルの後部支持枠の後側における係止部を嵌合することにより、机上用パネルの中心面を、２本の支柱の当接面と、実質的に整合させたことを特徴とする机上用パネルの支持装置。
【請求項３】
天板における前後方向の受溝を、天板の下面に水平片が止着された正面視Ｌ形の挟圧片における上向片と、天板の側端面とにより形成したことを特徴とする請求項１または２に記載の机上用パネルの支持装置。
【請求項４】
挟圧片の水平片に側方向を向く長孔を穿設するとともに、この水平片を、天板の下面において、側方向へ移動させうるようにし、挟圧片を内側方へ移動させて、その上向片と天板の側端との間で、下部支持枠における係止片を挟支した状態で、前記長孔の下方より挿入した締付ねじを天板の下面に螺合することにより、挟圧片を固定しうるようにしたことを特徴とする請求項３記載の机上用パネルの支持装置。
【請求項５】
天板における前後方向の受溝を、隣接する天板の側端面同士をもって形成したことを特徴とする請求項１〜３のいずれかに記載の机上用パネルの支持装置。
【発明の詳細な説明】
【０００１】
【発明の属する技術分野】
本発明は、孤立している机の天板の両側、並べられている机の天板の間、もしくはその外側端の机の天板の外側等に設けられる机上用パネルの支持装置に関する。
【０００２】
【従来の技術】
従来のこの種机上用パネルにおいては、例えば特開平１１−１５５６４８号公報に記載されているように、パネル部(６)の後端は、机の天板(２)の後端より立設された断面前向コ形の縁材(E3)に、単に嵌合されているだけであり、またパネル部(６)の下縁は、クランプ(10)等により、前端が天板(２)に係止されている断面上向Ｕ形の縁材(E2)に、単に嵌合されているだけのものが多かった。
【０００３】
【発明が解決しようとする課題】
そのため、従来のものでは、パネル部(６)に側方から人体や物体が当接すると、パネル部(６)の後縁は、縁材(E3)より前方へ脱落し易く、またパネル部(６)の下縁は、左右に振れて外れるおそれもあった。
本発明は、簡単な構成をもって、机上用パネルが、その後縁を保持する後部支持枠から妄りに外れないようにし、しかも、机上用パネルの下縁を保持する下部支持枠が、妄りに側方へ動いて、外れたりすることがないようにすることをも目的としている。
【０００４】
【課題を解決するための手段】
本発明によると、上記課題は、次のようにして解決される。
（１）天板の後部に立設した支柱の前面に設けた、上下方向を向くとともに開口部を狭幅とした嵌合溝に、前後方向を向く机上用パネルの後部へ保持溝を嵌合した前向コ字形の後部支持枠の後側に設けた、後端部が広幅の係止部を嵌合し、かつ机上用パネルの下部へ嵌合した、上向きコ字形の下部支持枠より垂下した係止片を、天板に設けた前後方向の受溝に挿入して係止し、さらに、後部支持枠の後壁の前面に、その保持溝へ前方から嵌入された机上用パネルの後端が側方向に動くのを阻止するための、机上用パネルの後端を側方から挟支しうる挟支突片を設ける。
【０００５】
（２）上記(１)項において、天板の後部に立設した支柱の前面に設けた、上下方向を向くとともに開口部を狭幅とした嵌合溝に、前後方向を向く机上用パネルの後部へ保持溝を嵌合した前向コ字形の後部支持枠の後側に設けた、後端部が広幅の係止部を嵌合し、かつ机上用パネルの下部へ嵌合した、上向きコ字形の下部支持枠より垂下した係止片を、天板に設けた前後方向の受溝に挿入して係止し、さらに、後部支持枠における保持溝の幅方向の中心面と、その後側における係止部の中心面との距離を、支柱の外側面と、その嵌合溝の中心面との距離と等しくし、隣接する後面パネルの側端における同寸同形の２本の支柱の外側面同士を当接させるとともに、いずれかの支柱の前面における嵌合溝に、机上用パネルの後部支持枠の後側における係止部を嵌合することにより、机上用パネルの中心面を、２本の支柱の当接面と、実質的に整合させる。
【０００６】
（３）上記(１)または(２)項において、天板における前後方向の受溝を、天板の下面に水平片が止着された正面視Ｌ形の挟圧片における上向片と、天板の側端面とにより形成する。
【０００７】
（４）上記(３)項において、挟圧片の水平片に側方向を向く長孔を穿設するとともに、この水平片を、天板の下面において、側方向へ移動させうるようにし、挟圧片を内側方へ移動させて、その上向片と天板の側端との間で、下部支持枠における係止片を挟支した状態で、前記長孔の下方より挿入した締付ねじを天板の下面に螺合することにより、挟圧片を固定しうるようにする。
【０００８】
（５）上記(１)〜(３)項のいずれかにおいて、天板における前後方向の受溝を、隣接する天板の側端面同士をもって形成する。
【０００９】
【発明の実施の形態】
図１において、左右に並置された机(１)(１)の内の左側の机(１)の天板(２)の左側縁、並びに両机(１)(１)の天板(２)(２)の間に、本発明に従って、前後方向を向く机上用パネル(３)(４)が設けられている。
【００１０】
左側の机上用パネル(３)の後縁は、左側の机(１)の後面パネル(５)の左端における支柱(６)の前面に係着した後部支持枠(７)により支持されている。
【００１１】
机(１)(１)の間の机上用パネル(４)の後縁は、左側の後面パネル(５)の右端における支柱(８)の前面に係着した後部支持枠(９)に保持されている。
これらの詳細については後述する。
【００１２】
机上用パネル(３)(４)の下縁は、後述するようにして、机(１)の天板(２)に係止された下部支持枠(11)により支持されている。
【００１３】
図２は、後縁および下縁に、それぞれ後部支持枠(７)(９)および下部支持枠(11)が嵌合されている机上用パネル(３)(４)を示している。
【００１４】
左側の後面パネル(５)の左端および右端における支柱(６)(８)は、左右対称であり、右側の後面パネル(10)の左端における支柱(12)は、左側の後面パネル(５)の左端における支柱(６)と、同形同寸同方向である。
【００１５】
従って、図３を参照して、左側の後面パネル(５)の左端を支持する支柱(６)のみについて説明する。
【００１６】
支柱(６)の前後両面には、開口部(13)を狭幅とした上下方向を向く嵌合溝(14)が設けられ、支柱(６)の外側面には、内方を向く前後１対の同様の嵌合溝(14)が、並べて設けられている。
【００１７】
左右の机上用パネル(３)(４)の後部支持枠(７)と(９)は、左右対称であることを除いては、形状および寸法は同一であるので、図３を参照して、左方の後部保持枠(７)のみについて説明する。
【００１８】
平面視前向Ｕ形をなし、外側において前方を向く支持片(15)と、その内側において、机上用パネル(３)の厚さよりも僅かに広幅の間隔をもって、支持片(15)と平行に前方を向く押圧片(16)とを備え、支持片(15)と押圧片(16)の前端同士の内幅は、机上用パネル(３)の厚さよりもやや小とされている。
【００１９】
押圧片(16)の後部は、適度の弾性を付与するための内側方へ張出する張出片(17)を介して、後部支持枠(７)の後壁(18)と連なっている。
後壁(18)の前面には、支持片(15)より、机上用パネル(３)の厚さとほぼ等しいか、あるいはそれよりも僅かに小さな間隔をもって、上下方向の挟支突片(19)が設けられている。
押圧片(16)自体が適度の弾性を有する場合には、張出片(17)を省略することがある。
【００２０】
後壁(18)の後面には、前記嵌合溝(14)に嵌合しうるよう、それと対応する形状寸度とした、上下方向の狭幅の支片(20)と、その後方に続く広幅の鈎状係止部(21)が突設されている。
【００２１】
後部支持枠(７)(９)は、その後方へ突出する係止部(21)を、支柱(６)および(８)の前面における嵌合溝(14)へ嵌合することにより、支柱(６)および(８)の前面に取付けられる。
【００２２】
なお、前記後部支持枠(７)から後方へ突出する係止部(21)は、支持杆(15)と押圧片(16)の間の空間の中心、すなわち嵌合される机上用パネル(３)(４)の厚さ方向の中心面より、支柱(６)の外側面と、支柱(６)における嵌合溝(14)の中心面との距離だけ、内側方へずらされている。
【００２３】
従って机上用パネル(３)(４)の中心面は、それぞれ支柱(６)(８)の外側面と一致することになり、図４に示すように、隣接する後面パネル(５)(10)の近接する側端における支柱(８)(12)の外側面同士を当接させて連結した場合においては、机上用パネル(４)の中心面は、両支柱(８)(12)の当接面上へ位置することとなる。
【００２４】
上述したように、机上用パネル(３)(４)は、その後端を、後部支持枠(７)の後壁(18)の前面に当接させるとともに、支持片(15)と挟支突片(19)とにより、後端部は、側方へ動かないように保持され、かつその前方において、支持片(15)と押圧片(16)の前部とにより、弾圧挟持されている。
【００２５】
従って、机上用パネル(３)(４)の側方向への湾曲や変形は、係止突条(19)によって抑止され、机上用パネル(３)(４)が妄りに大きく変形して、後部支持枠(７)より外れるおそれはない。
【００２６】
さらに、本発明においては、机上用パネル(３)(４)の下部が、机(１)の天板(２)に対して左右に移動したり、天板(２)から外れたりしないようにするための方策が講じられている。
次に、これについて説明する。
【００２７】
図５に示すように、各机上用パネル(３)(４)の下縁には、垂下片(22)を備える上向コ形断面の下部支持枠(11)が嵌合されている。
【００２８】
左側の天板(２)の外側端部下面には、正面視Ｌ形の挟圧片(23)における水平片(24)が当接され、その上向片(25)は、天板(２)の側端の外側に、僅少の間隙をもって位置している。
水平片(24)に設けた横方向の長孔(26)に下方より挿入した締付けねじ(27)を、天板(２)の下面に螺合することにより、挟圧片(23)は左右移動可能とされている。
【００２９】
従って、天板(２)の外側端と、挟圧片(23)の上向片(25)との間へ、下部支持枠(11)における垂下片(22)を挿入し、挟圧片(23)を内方へ移動させて、その上向片(25)と天板(２)の外側端との間で上記垂下片(22)を締付け、締付ねじ(27)をもって、下部支持枠(11)を固定することができる。また挟圧片(23)を外側方へ動かして、下部支持枠(11)を簡単に取外すこともでる。
【００３０】
横方向の長孔(26)および締付ねじ(27)を省略し、挟圧片(23)を垂下片(22)を挟持する位置としてから、適宜複数の止めねじ等をもって、挟圧片(23)を天板(２)の下面に固定するようにしてもよい。
【００３１】
また、机(１)(１)の間の机上用パネル(４)における下部支持枠(11)の垂下片(22)は、隣接する天板(２)(２)の側端同士で挟持すればよい。この際、左右の天板(２)(２)を、適宜の連結金具で結合するのがよい。
【００３２】
図示を省略したが、天板(２)の上面に、前後方向を向く受溝を刻設し、これに下部支持枠(11)の垂下片(22)を挿入して保持してもよい。
【００３３】
【発明の効果】
次に、各請求項に記載の発明における主たる特有の効果を列記する。
請求項１記載の発明：−机上用パネルの後縁および下縁は、容易に脱落したり側方向に移動したりしないように、確実に保持される。
【００３４】
机上用パネルの側方向の撓みは抑止され、また側方向に撓んでも、妄りに抜け外れることはない。
【００３５】
請求項２記載の発明：−机上用パネルの後縁および下縁は、容易に脱落したり側方向に移動したりしないように、確実に保持される。
【００３６】
隣接する机の間の机上用パネルを、両机の中間部に正しく保持することができる。
【００３７】
請求項３記載の発明：−受溝を、天板自体に加工することなく形成することができる。
【００３８】
請求項４記載の発明：−挟圧片により、下部支持枠の垂下片を、強固に挟支することができ、側方から外力が作用しても、机上用パネルが、側方へ移動したり、外れたりすることはない。
【００３９】
請求項５記載の発明：−なんらの加工を施すことなく、下部支持枠の垂下片を、簡単に支持することができる。
【図面の簡単な説明】
【図１】  本発明に従って、机上用パネルを机の天板の側部に立設した状態を示す斜視図である。
【図２】  後縁と下縁に、それぞれ、後部支持枠および下部支持枠を嵌合した机上用パネルの斜視図である。
【図３】  図１における左端の机上用パネルの後縁が、後部支持枠に嵌合保持されている状態を示す拡大横断平面図である。
【図４】  図１の中央における机上用パネルの後縁が、隣接する支柱により支持した後部支持枠に嵌合保持されている状態を示す拡大横断平面図である。
【図５】  図１に示す外側の机上用パネルの下部支持枠が、天板の外側部に挟圧保持されている状態を示す拡大縦断正面図である。
【図６】  図１に示す中央の机上用パネルの下部支持枠が、挟圧保持されている状態を示す拡大縦断正面図である。
【符号の説明】
(１)机
(２)天板
(３)(４)机上用パネル
(５)左側の後面パネル
(６)支柱
(７)後部支持枠
(８)支柱
(９)後部支持枠
(10)右側の後面パネル
(11)下部支持枠
(12)支柱
(13)開口部
(14)嵌合溝
(15)支持片
(16)押圧片
(17)張出片
(18)後壁
(19)挟支突片
(20)支片
(21)係止部
(22)垂下片
(23)挟圧片
(24)水平片
(25)上向片
(26)長孔
(27)締付ねじ
【図１】
0003690513.tif 000002
【図２】
0003690513.tif 000003
【図３】
0003690513.tif 000004
【図４】
0003690513.tif 000005
【図５】
0003690513.tif 000006
【図６】
0003690513.tif 000007